【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
連続したパルスを送信する送信装置であって、
所定のパルス繰り返し周期の複数のパルスを生成する矩形波発生部と、
前記送信する連続パルスの所定のスペクトラムの周波数特性に合わせて遅延期間を調整し、前記生成された複数のパルスを、前記調整された遅延時間だけ、遅延する遅延調整部と、
前記遅延された複数のパルスと前記生成された複数のパルスとを合成して、前記連続パルスを生成する合成部と、を含む連続パルス発生部と、
前記連続パルス発生部で発生した前記連続パルスを送信データで変調する変調部と、
前記変調部で変調した前記変調パルスを出力する出力部と、
を含む送信装置。
【請求項２】
前記遅延期間は、前記生成された複数のパルスのパルス幅より短い
請求項１記載の送信装置。
【請求項３】
前記遅延部は、前記生成した複数のパルスに、立上り遅延と立下り遅延との少なくとも一方を与える請求項１記載の送信装置。
【請求項４】
前記変調部で変調した変調パルスの周波数を変換する周波数変換部を含み、
前記周波数変換部が変換した周波数は、任意に選択可能であり、
前記出力部は、前記周波数変換部が変換した変換後の変調パルスを出力する請求項１記載の送信装置。
【請求項５】
前記連続パルス発生部で発生した連続パルスの周波数を変換する周波数変換部を含み、
前記周波数変換部が変換した周波数は、任意に選択可能であり、
前記変調部は、前記周波数変換部が変換した変換後の連続パルスを変調する請求項１記載の送信装置。
【請求項６】
前記連続パルス発生部が発生するインパルス波形の電力は、任意に設定可能である
請求項１記載の送信装置。
【請求項７】
前記連続パルス発生部が、特定の送信データ信号の場合のみ、前記変調パルスを出力する
請求項１記載の送信装置。
【請求項８】
請求項１乃至請求項７のいずれかに記載の送信装置から送信された前記変調パルスを受信する変調パルス受信部と、
前記変調パルス受信部で受信した変調パルスを復調して、前記送信データを受け取る復調部と、を含む受信装置。
【請求項９】
連続パルスを送信データで変調して得られた変調パルスを送信する送信装置の前記送信された変調パルスを受信する受信装置であって、
前記送信装置から送信した前記変調パルスを受信する変調パルス受信部と、
前記変調パルス受信部で受信した変調パルスを復調して前記送信データを受け取る復調部と、を含み、
前記送信装置は、
所定のパルス繰り返し周期の複数のパルスを生成する矩形波発生部と、
前記送信する連続パルスの所定のスペクトラムの周波数特性に合わせて遅延期間を調整し、前記生成された複数のパルスを、前記調整された遅延時間だけ、遅延する遅延調整部と、
前記遅延された複数のパルスと前記生成された複数のパルスとを合成して、前記連続パルスを生成する合成部と、を含む連続パルス発生部と、
を含み、
前記復調部は、複数の連続するインパルス波形を組にしてパルス位相変調された信号を復調する復調部であって、
１つ目のパルスをリファレンスとして２つ目以降のパルスの位相の変化を判定して復調する受信装置。
【請求項１０】
連続パルスを送信データで変調して得られた変調パルスを送信する送信装置の前記送信された変調パルスを受信する受信装置であって、
前記送信装置から送信した前記変調パルスを受信する変調パルス受信部と、
前記変調パルス受信部で受信した変調パルスを復調して前記送信データを受け取る復調部と、を含み、
前記送信装置は、
所定のパルス繰り返し周期の複数のパルスを生成する矩形波発生部と、
前記送信する連続パルスの所定のスペクトラムの周波数特性に合わせて遅延期間を調整し、前記生成された複数のパルスを、前記調整された遅延時間だけ、遅延する遅延調整部と、
前記遅延された複数のパルスと前記生成された複数のパルスとを合成して、前記連続パルスを生成する合成部と、を含む連続パルス発生部と、
を含み、
前記復調部は、複数の連続するインパルス波形を組にしてパルス振幅変調された信号を復調する復調部であって、１つ目のパルスをリファレンスとして２つ目以降のパルスの振幅の大小を判定して復調する受信装置。
【請求項１１】
連続パルスを送信データで変調して得られた変調パルスを送信する送信装置の前記送信された変調パルスを受信する受信装置であって、
前記送信装置から送信した前記変調パルスを受信する変調パルス受信部と、
前記変調パルス受信部で受信した変調パルスを復調して前記送信データを受け取る復調部と、を含み、
前記送信装置は、
所定のパルス繰り返し周期の複数のパルスを生成する矩形波発生部と、
前記送信する連続パルスの所定のスペクトラムの周波数特性に合わせて遅延期間を調整し
、前記生成された複数のパルスを、前記調整された遅延時間だけ、遅延する遅延調整部と、
前記遅延された複数のパルスと前記生成された複数のパルスとを合成して、前記連続パルスを生成する合成部と、を含む連続パルス発生部と、
を含み、
前記復調部は、複数の連続するインパルス波形を組にしてパルス位置変調された信号を復調する復調部であって、１つ目のパルスをリファレンスとして２つ目以降のパルスの位置の変化を判定して復調する受信装置。
【請求項１２】
単一パルスを発生し、前記送信データでパルス位置変調して、出力する単一パルス送信部をさらに含み、
前記連続パルス発生部が発生する連続パルスは、複数の位相が異なるパルスを連続させたものであって、
前記変調部では、前記連続パルス発生部で発生した連続パルスを変調せずに、前記出力部に入力する請求項１記載の送信装置。
【請求項１３】
前記単一パルス送信部が出力するパルス位置変調信号と、前記連続パルスとを、同じ時間だけ任意の時間分、適宜位置を変化させる請求項１２記載の送信装置。
【請求項１４】
請求項１２または請求項１３記載の送信装置から送信された信号を受信する受信装置であって、
前記単一パルス送信部から出力されたパルス位置変調信号と、前記連続信号とを受信する２信号受信部と、
前記２信号受信部で受信した２つの信号を乗じることでパルス位置によって相関信号を正、負異なる位相の信号に変換して情報を判定する相関判定部と、
を含む受信装置。
【請求項１５】
請求項１乃至請求項７のいずれかに記載の送信装置と請求項８乃至請求項１１のいずれかに記載の受信装置と、を含む通信システム。
【請求項１６】
請求項１２または請求項１３に記載の送信装置と請求項１４記載の受信装置と、を含む通信システム。
【手続補正２】
【補正対象書類名】明細書
【補正対象項目名】００１０
【補正方法】変更
【補正の内容】
【００１０】
本発明の送信装置は、連続したパルスを送信する送信装置であって、所定のパルス繰り返し周期の複数のパルスを生成する矩形波発生部と、送信する連続パルスの所定のスペクトラムの周波数特性に合わせて遅延期間を調整し、生成された複数のパルスを、調整された遅延時間だけ、遅延する遅延調整部と、遅延された複数のパルスと生成された複数のパルスとを合成して、連続パルスを生成する合成部と、を含む連続パルス発生部と、連続パルス発生部で発生した連続パルスを送信データで変調する変調部と、変調部で変調した変調パルスを出力する出力部とを含む構成を有している。
【手続補正３】
【補正対象書類名】明細書
【補正対象項目名】００１２
【補正方法】変更
【補正の内容】
【００１２】
また、本発明の送信装置は、連続パルス発生部で発生する複数のインパルス波形のパルス幅を任意の時間に設定可能である構成であってもよい。この構成によれば、周波数スペクトラムの周波数帯域を任意に変化させることが可能であり、また帯域内にヌル点を作ることができる。これらの特性により、他システムへの影響の少ない通信が実現できる。
【手続補正４】
【補正対象書類名】明細書
【補正対象項目名】００１３
【補正方法】変更
【補正の内容】
【００１３】
また、本発明の送信装置は、連続パルス発生部が設定するパルス幅が１種類である構成であってもよい。この構成によれば、発生させるパルスの幅を１種類とすることで使う部品の種類を少なくできる。
【手続補正５】
【補正対象書類名】明細書
【補正対象項目名】００１４
【補正方法】変更
【補正の内容】
【００１４】
また、本発明の送信装置は、連続パルス発生部が設定するパルス幅が、少なくとも時間の異なる２種類である構成であってもよい。この構成によれば、帯域内ヌル点の周波数を可変にすることができ、パルス幅の種類を増やすほどヌル点位置の調整が容易になる。
【手続補正６】
【補正対象書類名】明細書
【補正対象項目名】００１５
【補正方法】変更
【補正の内容】
【００１５】
また、本発明の送信装置は、連続パルス発生部が発生する複数のインパルス波形のパルス間隔を任意の時間に設定可能である構成であってもよい。この構成によれば、周波数スペクトラムの周波数帯域を任意に変化させることが可能であり、また帯域内にヌル点を作ることができる。これらの特性により、他システムへの影響の少ない通信が実現できる。
【手続補正７】
【補正対象書類名】明細書
【補正対象項目名】００１６
【補正方法】変更
【補正の内容】
【００１６】
また、本発明の送信装置は、連続パルス発生部が設定するパルス間隔が１種類である構成であってもよい。この構成によれば、発生させるパルスの幅を１種類とすることで使う部品の種類を少なくできる。
【手続補正８】
【補正対象書類名】明細書
【補正対象項目名】００１７
【補正方法】変更
【補正の内容】
【００１７】
また、本発明の送信装置は、連続パルス発生部がパルス間隔とパルス幅とを等しく設定する構成であってもよい。この構成によれば、発生させるパルス幅およびその間隔を１種類とすることで使う部品の種類を少なくできる。
【手続補正９】
【補正対象書類名】明細書
【補正対象項目名】００１８
【補正方法】変更
【補正の内容】
【００１８】
また、本発明の送信装置は、連続パルス発生部が発生する複数のインパルス波形のパルス間隔を、連続パルス発生部が発生する複数のインパルス波形のパルス幅より短く設定する構成であってもよい。この構成によれば、周波数スペクトラムの周波数帯域を任意に変化させるバリエーションの１つであり、また、パルス幅としては時間的に短くて実現できないが、パルス間隔は狭くすることが可能なため、等価的に狭いパルスを実現したのと同じ周波数スペクトラムを実現することができる。
【手続補正１０】
【補正対象書類名】明細書
【補正対象項目名】００１９
【補正方法】変更
【補正の内容】
【００１９】
また、本発明の送信装置は、連続パルス発生部が、パルス間隔を、少なくとも２つの異なるパルス間隔となるように設定する構成であってもよい。この構成によれば、帯域内ヌル点の周波数を可変にすることができる。
【手続補正１１】
【補正対象書類名】明細書
【補正対象項目名】００２０
【補正方法】変更
【補正の内容】
【００２０】
また、本発明の送信装置は、遅延部が、生成した複数のパルスに、立上り遅延と立下り遅延との少なくとも一方を与える構成であってもよい。この構成によれば、所望の主たる周波数スペクトラム以外の成分を抑圧できる。
【手続補正１２】
【補正対象書類名】明細書
【補正対象項目名】００２１
【補正方法】変更
【補正の内容】
【００２１】
また、本発明の送信装置は、変調部で変調した変調パルスの周波数を変換する周波数変換部を含み、周波数変換部が変換した周波数が、任意に選択可能であり、出力部が、周波数変換部で変換した変換後の変調パルスを出力する構成であってもよい。この構成によれば、周波数スペクトラムの周波数帯域を任意に変化させることが可能であり、また帯域内にヌル点を作ることができる。
【手続補正１３】
【補正対象書類名】明細書
【補正対象項目名】００２２
【補正方法】変更
【補正の内容】
【００２２】
また、本発明の送信装置は、連続パルス発生部で発生した連続パルスの周波数を変換する周波数変換部を含み、周波数変換部が変換した周波数は、任意に選択可能であり、変調部が、周波数変換部で変換した変換後の連続パルスを変調する構成であってもよい。この
構成によれば、周波数スペクトラムの周波数帯域を任意に変化させることが可能であり、また帯域内にヌル点を作ることができる。
【手続補正１４】
【補正対象書類名】明細書
【補正対象項目名】００２３
【補正方法】変更
【補正の内容】
【００２３】
また、本発明の送信装置は、連続パルス発生部が発生するインパルス波形の周波数が１種類である構成であってもよい。この構成によれば、回路構成を間単にできる。
【手続補正１５】
【補正対象書類名】明細書
【補正対象項目名】００２４
【補正方法】変更
【補正の内容】
【００２４】
また、本発明の送信装置は、連続パルス発生部が発生するインパルス波形の周波数が少なくとも２種類である構成であってもよい。この構成によれば、周波数スペクトラムの周波数帯域を任意に変化させることが可能であり、また帯域内にヌル点を作ることができる。
【手続補正１６】
【補正対象書類名】明細書
【補正対象項目名】００２５
【補正方法】変更
【補正の内容】
【００２５】
また、本発明の送信装置は、連続パルス発生部が発生するインパルス波形の電力を、任意に設定可能である構成であってもよい。この構成によれば、周波数スペクトラムの周波数帯域を任意に変化させることが可能であり、また帯域内にヌル点を作ることができる。
【手続補正１７】
【補正対象書類名】明細書
【補正対象項目名】００２６
【補正方法】変更
【補正の内容】
【００２６】
また、本発明の送信装置は、連続パルス発生部が発生するインパルス波形の電力が１種類である構成であってもよい。この構成によれば、回路構成を間単にできる。
【手続補正１８】
【補正対象書類名】明細書
【補正対象項目名】００２７
【補正方法】変更
【補正の内容】
【００２７】
また、本発明の送信装置は、連続パルス発生部が発生するインパルス波形の電力が少なくとも２種類である構成であってもよい。この構成によれば、周波数スペクトラムの周波数帯域を任意に変化させることが可能であり、また帯域内にヌル点を作ることができる。
【手続補正１９】
【補正対象書類名】明細書
【補正対象項目名】００２８
【補正方法】変更
【補正の内容】
【００２８】
また、本発明の送信装置は、変調部における変調方式が複数の連続するインパルス波形を組にしてパルス位置変調する方式である構成であってもよい。この構成によれば、変調されたパルス位置によりデータ信号の通信を可能とする。
【手続補正２０】
【補正対象書類名】明細書
【補正対象項目名】００２９
【補正方法】変更
【補正の内容】
【００２９】
また、本発明の送信装置は、変調部における変調方式が、複数の連続するインパルス波形を組にしてパルス位相変調する方式である構成であってもよい。この構成によれば変調されたパルス位相によりデータ信号の通信を可能とする。
【手続補正２１】
【補正対象書類名】明細書
【補正対象項目名】００３２
【補正方法】変更
【補正の内容】
【００３２】
また、本発明の送信装置は、変調部における変調方式が、複数の連続するインパルス波形を組にしてパルス振幅変調する方式である構成であってもよい。この構成によれば、変調されたパルス振幅によりデータ信号の通信を可能とする。
【手続補正２２】
【補正対象書類名】明細書
【補正対象項目名】００３７
【補正方法】変更
【補正の内容】
【００３７】
また、本発明の送信装置は、連続パルス発生部が、特定の送信データ信号の場合のみ、複数のインパルス波形を出力する構成であってもよい。この構成によれば、複数のインパルス波形の相関により所望の周波数スペクトラムを有する信号を生成することができる。
【手続補正２３】
【補正対象書類名】明細書
【補正対象項目名】００３８
【補正方法】変更
【補正の内容】
【００３８】
本発明の受信装置は、連続パルスを送信データで変調して得られた変調パルスを送信する送信装置の送信された変調パルスを受信する受信装置であって、送信装置から送信された変調パルスを受信する変調パルス受信部と、変調パルス受信部で受信した変調パルスを復調して、送信データを受け取る復調部と、を含む構成を有している。この構成により、複数のインパルス波形を任意の時間間隔で続けて発生する連続パルスを用いて送信された信号を、受信復調して送信データを受け取ることができる。
【手続補正２４】
【補正対象書類名】明細書
【補正対象項目名】００３９
【補正方法】変更
【補正の内容】
【００３９】
また、本発明の受信装置は、連続パルスを送信データで変調して得られた変調パルスを送信する送信装置の送信された変調パルスを受信する受信装置であって、送信装置から送信した変調パルスを受信する変調パルス受信部と、変調パルス受信部で受信した変調パルスを復調して送信データを受け取る復調部と、を含み、復調部が、複数の連続するインパルス波形を組にしてパルス位相変調された信号を復調する復調部であって、１つ目のパルスをリファレンスとして２つ目以降のパルスの位相の変化を判定して復調する構成であってもよい。
【手続補正２５】
【補正対象書類名】明細書
【補正対象項目名】００４１
【補正方法】変更
【補正の内容】
【００４１】
また、本発明の受信装置は、連続パルスを送信データで変調して得られた変調パルスを送信する送信装置の送信された変調パルスを受信する受信装置であって、送信装置から送信した変調パルスを受信する変調パルス受信部と、変調パルス受信部で受信した変調パルスを復調して送信データを受け取る復調部と、を含み、復調部が、複数の連続するインパルス波形を組にしてパルス振幅変調された信号を復調する復調部であって、１つ目のパルスをリファレンスとして２つ目以降のパルスの振幅の大小を判定して復調する構成であってもよい。
【手続補正２６】
【補正対象書類名】明細書
【補正対象項目名】００４３
【補正方法】変更
【補正の内容】
【００４３】
また、本発明の受信装置は、連続パルスを送信データで変調して得られた変調パルスを送信する送信装置の送信された変調パルスを受信する受信装置であって、送信装置から送信した変調パルスを受信する変調パルス受信部と、変調パルス受信部で受信した変調パルスを復調して送信データを受け取る復調部と、を含み、復調部が、複数の連続するインパルス波形を組にしてパルス位置変調された信号を復調する復調部であって、１つ目のパルスをリファレンスとして２つ目以降のパルスの位置の変化を判定して復調する構成であってもよい。
【手続補正２７】
【補正対象書類名】明細書
【補正対象項目名】００４５
【補正方法】変更
【補正の内容】
【００４５】
さらに、本発明の送信装置は、単一パルスを発生し、送信データでパルス位置変調して、出力する単一パルス送信部をさらに含み、連続パルス発生部が発生する連続パルスが、複数の位相が異なるパルスを連続させたものであって、変調部では、連続パルス発生部で発生した連続パルスを変調せずに、出力部に入力する構成であってもよい。この構成によれば、同期信号として位相の異なる２つのパルス対をデータ信号に対し別送することで、精度のよい受信判定ができる通信を実現できる。
【手続補正２８】
【補正対象書類名】明細書
【補正対象項目名】００４６
【補正方法】変更
【補正の内容】
【００４６】
さらに、本発明の送信装置は、単一パルス送信部が出力するパルス位置変調信号と連続パルスとを共に、同じ時間だけ任意の時間分、適宜位置を変化させる構成であってもよい。この構成によれば、特定のデータ列において複数のインパルス波形をパルス繰り返し周波数より短い任意の時間間隔で連続して出力することで、この複数のインパルス波形の相関により所望の周波数スペクトラムを有する信号を生成できる。
【手続補正２９】
【補正対象書類名】明細書
【補正対象項目名】００４７
【補正方法】変更
【補正の内容】
【００４７】
さらに、本発明の受信装置は、単一パルス送信部から出力されたパルス位置変調信号と、連続信号とを受信する２信号受信部と、２信号受信部で受信した２つの信号を乗じることでパルス位置によって相関信号を正、負異なる位相の信号に変換して情報を判定する相関判定部とを含む構成であってもよい。この構成によれば、送信装置よりデータ信号とは別に送信された位相の異なる２つのパルス対からなる同期信号により、精度のよい受信判定ができる。
【手続補正３０】
【補正対象書類名】明細書
【補正対象項目名】００４８
【補正方法】変更
【補正の内容】
【００４８】
本発明は、連続したパルスを送信する送信装置であって、所定のパルス繰り返し周期の複数のパルスを生成する矩形波発生部と、送信する連続パルスの所定のスペクトラムの周波数特性に合わせて遅延期間を調整し、生成された複数のパルスを、調整された遅延時間だけ、遅延する遅延調整部と、遅延された複数のパルスと生成された複数のパルスとを合成して、連続パルスを生成する合成部と、を含む連続パルス発生部と、連続パルス発生部で発生した連続パルスを送信データで変調する変調部と、変調部で変調した変調パルスを出力する出力部と、を設けることにより、複数のインパルス波形を任意の時間間隔で続けて発生させ伝送信号として用いることで、周波数スペクトラムの周波数帯域を任意に変化させることが可能であり、また帯域内にヌル点を作ることができ、これらの特性により、他システムへの影響を少なくできるという効果を有する送信装置を、また、この送信装置から送信された変調パルスを受信する変調パルス受信部と、変調パルス受信部で受信した変調パルスを復調して送信データを受け取る復調部と、を設けることにより、複数のインパルス波形を任意の時間間隔で続けて発生する連続パルスを用いて送信された信号を、受信復調して送信データを受け取ることができるという効果を有する受信装置を、提供することができる。